(57)【要約】【課題】１度の撮影で複数の画像生成する際、ユーザの操作性を落とすことなく、不快感を与えない現像パラメータ生成制御を提供すること。【解決手段】静止画撮影手段と、撮影した静止画の現像パラメータ指定手段と、撮影した静止画を保存する手段と、撮影した静止画の現像パラメータをランダムに生成する手段と、１度の撮影行為で２枚の画像を生成する制御手段と、通常撮影と１度の撮影で２枚の画像を生成する制御手段とを切り換える手段と、２枚の画像のうち、１枚は現在の設定パラメータで現像し、残りの１枚はランダムに生成した現像パラメータで現像する手段を有し、現像パラメータの履歴、または、カメラの状態からランダムに生成したパラメータが適したものかを判断し、適さないパラメータであると判断した場合には、再度ランダムに現像パラメータを生成し直すことを特徴とする構成とした。【選択図】  図１Ａ
2014143459.tif 000002
【特許請求の範囲】
【請求項１】
静止画撮影手段（２０３）と、
撮影した静止画の現像パラメータ指定手段（２０３）と、
撮影した静止画を保存する手段（２０７）と、
撮影した静止画の現像パラメータをランダムに生成する手段（２０３）と、
１度の撮影行為で２枚の画像を生成する制御手段（２０３）と、
通常撮影と１度の撮影で２枚の画像を生成する制御手段とを切り換える手段（２０３）と、
２枚の画像のうち、１枚は現在の設定パラメータで現像し、残りの１枚はランダムに生成した現像パラメータで現像する手段（２０６）を有し、
現像パラメータの履歴、または、カメラの状態からランダムに生成したパラメータが適したものかを判断（Ｓ１０５、Ｓ１１５、Ｓ１２５、Ｓ１３５、Ｓ１４５、Ｓ１５５、Ｓ１６５）し、適さないパラメータであると判断した場合には、再度ランダムに現像パラメータを生成し直す（Ｓ１０４、Ｓ１１４、Ｓ１２４、Ｓ１３４、Ｓ１４４、Ｓ１５４、Ｓ１６４）ことを特徴とする撮像装置。
【請求項２】
静止画の現像パラメータを履歴として記憶する手段（２０５、Ｓ１０２）と、
ランダムに生成した現像パラメータと比較した際、過去に使用された頻度が高いかどうか判断する手段（Ｓ１０５）とを有し、
頻度が高いと判定された場合には、再度ランダムに生成する現像パラメータを作成する（Ｓ１０４）ことを特徴とする請求項１に記載の撮像装置。
【請求項３】
現在設定されている現像パラメータを取得する手段（２０３、Ｓ１１３）を有し、
撮影した静止画の現像パラメータをランダムに生成した際、現在設定されている現像パラメータと一致した場合（Ｓ１１５）には、再度ランダムに現像パラメータを生成し直す（Ｓ１１４）ことを特徴とする請求項１に記載の撮像装置。
【請求項４】
装着されているレンズを検出する手段（Ｓ１２３）と、
レンズの種類を判別する手段（２０３）を有し、
魚眼レンズが装着され、ランダムに生成するパラメータに魚眼効果が含まれる場合（Ｓ１２５）に再度現像パラメータを生成し直す（Ｓ１２４）ことを特徴とする請求項１に記載の撮像装置。
【請求項５】
装着されているレンズを検出する手段（Ｓ１３３）と、
レンズの種類を判別する手段（２０３）を有し、
ＴＳレンズが装着され、ランダムに生成するパラメータにジオラマ効果が含まれる場合（Ｓ１３５）に再度現像パラメータを生成し直す（Ｓ１３４）ことを特徴とする請求項１に記載の撮像装置。
【請求項６】
顔検出する手段（Ｓ１４３）を有し、
顔が検出され、ランダムに生成するパラメータにジオラマ効果が含まれる場合（Ｓ１４５）に再度現像パラメータを生成し直す（Ｓ１４４）ことを特徴とする請求項１に記載の撮像装置。
【請求項７】
被写体を検知する手段（Ｓ１５３）と、
検知した被写体から色の数、または、色の薄さを判断する手段（Ｓ１５３）を有し、
色の数が少ない、または、色が薄いと判断され、ランダムに生成するパラメータにモノクロ効果が含まれる場合（Ｓ１５５）に再度現像パラメータを生成し直す（Ｓ１５４）ことを特徴とする請求項１に記載の撮像装置。
【請求項８】
ブレを検出する手段（Ｓ１６３）を有し、
撮影時にブレを検出したと判断した際、ランダムに生成するパラメータにシャープネスに関する効果が含まれる場合（Ｓ１６５）に再度現像パラメータを生成し直す（Ｓ１６４）ことを特徴とする請求項１に記載の撮像装置。
【発明の詳細な説明】
【技術分野】
【０００１】
本発明は、撮像装置に関し、特に現像パラメータをランダムに生成する際の撮像装置制御に関するものである。
【背景技術】
【０００２】
近年、様々な機能が搭載された撮像装置が存在する。単純に現像パラメータを設定して１枚撮影するだけでなく、１度に複数の画像を生成するような撮像装置も存在する。例えば、特許文献１では、撮影前にユーザがあらかじめ複数の現像パラメータを設定した上で撮影すると、１度の撮影で複数のバリエーション画像の撮影を可能にするような技術が開示されている。
【０００３】
また、膨大な機能が搭載され続けていることにより、ユーザは撮像装置の機能をすべて把握し使用することも難しい状況となっている。このような状況を回避するために、撮像装置からユーザに適した機能を提供するような機能が搭載されたものも存在する。例えば、特許文献２では、使用頻度の少ない機能のうち、客観的に便利な機能をユーザに知らせるような技術が開示されている。
【先行技術文献】
【特許文献】
【０００４】
【特許文献１】特開２０１２‐１２４５６９号公報
【特許文献２】特開２００８‐２４１８４２号公報
【発明の概要】
【発明が解決しようとする課題】
【０００５】
しかしながら、上述の特許文献に開示された従来技術では、ユーザにあらかじめ複数の現像パラメータの設定を行わせる必要があり煩雑であるため、ユーザの操作性を低下させてしまう恐れがある。加えて、ユーザ自身があらかじめ登録する必要があるため、普段ユーザが使用しない機能はずっと使用されないままとなってしまう。また、撮像装置が主導となり、現像パラメータを自動で生成させる機能を提供する場合においても、ただランダムに現像パラメータを生成するだけでは、現在のカメラ設定や、被写体等によっては期待した効果を提供できない恐れがある。
【０００６】
本発明の目的は、ユーザに煩雑な操作をさせることなく、１度の撮影で複数の画像生成する撮像装置制御を提供する。また、撮像装置がランダムに現像パラメータを選択する際、ユーザに不快感を与えないような現像パラメータ生成手段を提供することにある。
【課題を解決するための手段】
【０００７】
上記目的を達成するために、本発明は、静止画撮影手段と、撮影した静止画の現像パラメータ指定手段と、撮影した静止画を保存する手段と、撮影した静止画の現像パラメータをランダムに生成する手段と、１度の撮影行為で２枚の画像を生成する制御手段と、通常撮影と１度の撮影で２枚の画像を生成する制御手段とを切り換える手段と、２枚の画像のうち、１枚は現在の設定パラメータで現像し、残りの１枚はランダムに生成した現像パラメータで現像する手段を有し、現像パラメータの履歴、または、カメラの状態からランダムに生成したパラメータが適したものかを判断し、適さないパラメータであると判断した場合には、再度ランダムに現像パラメータを生成し直すことを特徴とする
【発明の効果】
【０００８】
本発明によれば１度の撮影で複数枚の画像における現像パラメータをランダムに生成する際、ユーザの操作性を落とすことなく、不快感を与えない現像パラメータ生成制御を提供することが可能となる。
【図面の簡単な説明】
【０００９】
【図１Ａ】本発明の基本処理シーケンス（その１）
【図１Ｂ】本発明の基本処理シーケンス（その２）
【図１Ｃ】本発明の基本処理シーケンス（その３）
【図１Ｄ】本発明の基本処理シーケンス（その４）
【図１Ｅ】本発明の基本処理シーケンス（その５）
【図１Ｆ】本発明の基本処理シーケンス（その６）
【図１Ｇ】本発明の基本処理シーケンス（その７）
【図２】撮像装置の構成ブロック図
【図３】ランダムに生成する現像パラメータ例
【発明を実施するための形態】
【００１０】
以下に、本発明の好ましい実施の形態を、添付の図面に基づいて詳細に説明する。図２は、本発明の実施形態にかかわる撮像装置の構成ブロック図である。
【００１１】
２００は撮影レンズである。撮影レンズの種類としては、単焦点レンズやズームレンズが存在する。特殊なものとしては、魚眼風の効果がある魚眼レンズや、あおり撮影を可能にするチルトシフトレンズ（以後ＴＳレンズ）が存在する。
【００１２】
２０１は撮像素子である。撮像素子２０１にはＣＣＤやＣＭＯＳセンサなどが用いられ、撮影レンズ２００によって結像された被写体像を電気信号に変換する。
【００１３】
２０２はＡ／Ｄ変換器である。Ａ／Ｄ変換器２０２は撮像素子２０１のアナログ出力信号をデジタル信号に変換する。
【００１４】
２０３はマイクロコンピュータである。マイクロコンピュータ２０３は各構成要素の制御やデータ処理など撮像装置全体を制御する。撮影レンズ２００が装着されているかどうかの検出、装着されているレンズの種類等を判定する。本実施例で説明する、撮像装置に設定されている現像パラメータの判別や、過去ユーザが使用した現像パラメータの蓄積、履歴参照等の処理もマイクロコンピュータ２０３で行う。また、ランダムに現像パラメータを生成する際の制御、生成したパラメータが適したものかどうかの判定制御もマイクロコンピュータ２０３が行う。
【００１５】
２０４は揮発性メモリである。揮発性メモリ２０４にはＡ／Ｄ変換器でデジタル信号に変換された画像データを一時的に保持する。
【００１６】
２０５は不揮発性メモリである。不揮発性メモリ２０５にはマイクロコンピュータ２０３で処理する撮像装置の実行プログラムがある。また、ユーザが設定した現像パラメータの履歴を蓄積する。
【００１７】
２０６は画像処理部である。画像処理部２０６では、撮影された画像に対する画像処理を行う。
【００１８】
２０７は外部メモリである。外部メモリ２０７には、コンパクトフラッシュ（登録商標）やスマートメディア、また、ハードディスクドライブなどがある。画像処理２０６が画像処理を行った結果をマイクロコンピュータ２０３がファイルに変換し、外部メモリ２０７に出力する。
【００１９】
２０８は表示部材である。表示部材には液晶モニタなどがある。外部メモリ２０７に出力したファイルの画像や、画像処理２０６が処理した結果を表示する。
【００２０】
２０９は操作部材である。操作部材にはスイッチ、ボタンなどがあり、表示部材２０８で表示されたものに対する操作を行う。ランダムに現像パラメータを生成し、複数枚の画像撮影を行うかどうかを設定は、表示部材２０８に設定画面を表示し、操作部材２０９で設定することを想定している。
【００２１】
図３に撮像装置に設定可能な現像パラメータの一例を示す。例として、１０個の現像パラメータを示す。現像パラメータは撮像装置に設定可能なものであれば、数、種類等に特に制約はない。１度の撮影で２枚の画像を保存する際、１枚の画像は現在撮像装置に設定されている現像パラメータで現像し、残り１枚の画像は、ランダムに現像パラメータを生成し、そのパラメータで現像する。ランダムに選択する方法に関して、例えば、現在の時刻を使ってランダム変数を生成するなどを想定している。なお、例として挙げた１０個のパラメータの中で極端に選択される可能性が高い、または、低いものがあるとランダム性が失われるため、極力均等に選択されるような制御が必要となる。このアルゴリズムにおいては、様々な方法があるため、本実施例では省略する。
【実施例１】
【００２２】
以下、図１Ａを参照して、本発明の第１の実施例による、ユーザの現像パラメータ設定履歴を用いてランダムに現像パラメータを生成する際の制御に関して説明する。なお、前提として、「セピア風効果」（３００）を高頻度で使用するユーザであるとする。
【００２３】
マイクロコンピュータ２０３により、静止画撮影が行われたかどうかを検知する（Ｓ１００）。Ｓ１００で静止画撮影が行われると、ランダムに現像パラメータを生成し、１度の撮影で２枚の画像を生成するモードに設定されているかどうかを判定する（Ｓ１０１）。Ｓ１０１で２枚の画像を生成するモードに設定されていない場合には、Ｓ１０２で現在設定されている現像パラメータをマイクロコンピュータ２０３で検知し、揮発性メモリ２０４に保持しておく。揮発性メモリ２０４に保持されたユーザが設定している現像パラメータの履歴は、撮像装置の電源がオフされた際にも記憶しておく必要があるため、撮像装置の電源オフ時に不揮発性メモリ２０５に記憶しておくなどの処理を行う必要がある。なお、不揮発性メモリ２０５への記憶タイミングとしては、Ｓ１０２で行ってもよい。Ｓ１０９で現在設定されている現像パラメータにて画像処理部２０６により画像処理が行われ、マイクロコンピュータ２０３によりファイルを生成し、外部メモリ２０７へ保存する（Ｓ１１０）。
【００２４】
Ｓ１０１で２枚の画像を生成するモードに設定されている場合、過去にユーザが設定した現像パラメータの履歴を参照する（Ｓ１０３）。過去のユーザの履歴は、不揮発性メモリ２０５に記憶されている情報を揮発性メモリ２０４に展開する。撮像装置の起動時に揮発性メモリ２０４に展開しておいてもよい。また、Ｓ１０２で履歴を不揮発性メモリ２０５へ記憶させる場合には、Ｓ１０３で不揮発性メモリ２０５から読みだしてもよい。ここではメモリ制御のタイミングの詳細には触れないが、ユーザの履歴としては常に最新の状態であることを想定する。Ｓ１０４でランダムに現像パラメータを生成する。
【００２５】
Ｓ１０４でランダムに生成されたパラメータが「セピア風効果」（３００）として、以後の説明を行う。Ｓ１０４で生成されたパラメータが過去ユーザに頻繁に利用されていたかどうかを判定する（Ｓ１０５）。Ｓ１０３で取得した履歴を元に判定するのだが、判定基準としては様々な閾値を想定している。例えば、過去１カ月に撮影されたかどうかなど、経過時間を基準に判断してもよい。また、過去の撮影枚数中、５％以上の撮影で利用されたなど、撮影枚数から判断してもよい。前提で述べたが、本実施例のユーザは、「セピア風効果」（３００）を頻度高く使用しているため、ランダム現像パラメータに「セピア風効果」（３００）を選択してもユーザにとって驚きはない。したがって、再度ランダム現像用パラメータの生成を行う必要があると判断し、Ｓ１０４で現像パラメータを生成し直す。Ｓ１０４で「雰囲気設定  ふんわりやわらかく」（３０１）がランダムに生成されたとする。Ｓ１０５で過去の履歴と比較した際、「雰囲気設定  ふんわりやわらかく」（３０１）は、過去ユーザにほとんど使用されていないと判断されると、ランダム現像パラメータとして確定する（Ｓ１０６）。
【００２６】
Ｓ１０６でパラメータが決定すると、画像処理部２０６により、ランダム現像パラメータでの現像処理を行い（Ｓ１０７）、ファイルを生成し、外部メディア２０７に保存する（Ｓ１０８）。Ｓ１０８でファイル生成する際に、ランダムに生成したパラメータで撮影した画像であることを記録しておいてもよい。仮に、ランダムで生成したパラメータがユーザにとって使い勝手がよいものであれば、それらをお気に入りのような形で別途保存させることも可能となる。現在の撮像装置に設定されている現像パラメータで現像処理（Ｓ１０９）、ファイル生成、保存（Ｓ１１０）を行うことで、１度の撮影で２枚の画像を生成する処理が完了する。
【００２７】
本実施例において、ランダムに生成した現像パラメータ、現在のカメラ設定での現像パラメータの順番で現像処理やファイル生成処理を行うと説明したが、この処理順番における制約は特に想定しておらず、逆に処理してもよい。
【００２８】
静止画撮影時の現像パラメータだけでなく、編集等の後処理で使用されたフィルタ効果等の設定を履歴として使用することも想定している。
【００２９】
本実施例によると、ランダムに現像パラメータを生成する際、ユーザの過去の現像パラメータ設定履歴を参照することで、ユーザの操作性を落とすことなく、不快感を与えない現像パラメータ生成制御を提供することが可能となる。
【実施例２】
【００３０】
以下、図１Ｂを参照して、本発明の第２の実施例による、現在の撮像装置に設定されている現像パラメータを参照して、ランダムに現像パラメータを生成する際の制御に関して説明する。前提として、現在撮像装置に設定されている複数の現像パラメータの中の１つが「トイカメラ風効果」（３０２）とする。
【００３１】
マイクロコンピュータ２０３により、静止画撮影が行われたかどうかを検知する（Ｓ１１１）。Ｓ１１１で静止画撮影が行われると、ランダムに現像パラメータを生成し、１度の撮影で２枚の画像を生成するモードに設定されているかどうかを判定する（Ｓ１１２）。Ｓ１１２で２枚の画像を生成するモードに設定されておらず、一般的な撮影の場合には、Ｓ１１９で現在設定されている現像パラメータにて画像処理部２０６により画像処理が行われ、マイクロコンピュータ２０３によりファイルを生成し、外部メモリ２０７へ保存する（Ｓ１２０）。
【００３２】
Ｓ１１２で２枚の画像を生成するモードに設定されている場合、マイクロコンピュータ２０３によって、現在設定されている現像パラメータを取得する（Ｓ１１３）。Ｓ１１３で取得した現像パラメータは、揮発性メモリ２０４に保持する。実施例２の前提で述べたが、ここでは「トイカメラ風効果」（３０２）とする。Ｓ１１４でランダムに現像パラメータを生成する。
【００３３】
Ｓ１１４でランダムに生成されたパラメータが「トイカメラ風効果」（３０２）だった場合、Ｓ１１３で取得した現在設定されているパラメータ「トイカメラ風効果」（３０２）と一致する（Ｓ１１５）。この場合、再度ランダム現像用パラメータの生成を行う必要があると判断し、Ｓ１１４で現像パラメータを生成し直す。生成し直した結果、Ｓ１１４で「ソフトフォーカス風」（３０３）がランダムに生成されたとする。Ｓ１１５にてＳ１１３で取得した「トイカメラ風」３０２）とは異なるため、ランダム現像用パラメータとして決定する（Ｓ１１６）。
【００３４】
Ｓ１１６でパラメータが決定すると、画像処理部２０６により、ランダム現像パラメータでの現像処理を行い（Ｓ１１７）、ファイルを生成し、外部メディア２０７に保存する（Ｓ１１８）。現在の撮像装置に設定されている現像パラメータで現像処理（Ｓ１１９）、ファイル生成、保存（Ｓ１２０）を行うことで、１度の撮影で２枚の画像を生成する処理が完了する。
【００３５】
本実施例によると、ランダムに現像パラメータを生成する際、現在撮像装置に設定されている現像パラメータを参照することで、ユーザの操作性を落とすことなく、不快感を与えない現像パラメータ生成制御を提供することが可能となる。
【実施例３】
【００３６】
以下、図１Ｃを参照して、本発明の第３の実施例による、魚眼レンズ装着時のランダム現像パラメータ生成制御に関して説明する。
【００３７】
マイクロコンピュータ２０３により、静止画撮影が行われたかどうかを検知する（Ｓ１２１）。Ｓ１２１で静止画撮影が行われると、ランダムに現像パラメータを生成し、１度の撮影で２枚の画像を生成するモードに設定されているかどうかを判定する（Ｓ１２２）。Ｓ１２２で２枚の画像を生成するモードに設定されておらず、一般的な撮影の場合には、Ｓ１２９で現在設定されている現像パラメータにて画像処理部２０６により画像処理が行われ、マイクロコンピュータ２０３によりファイルを生成し、外部メモリ２０７へ保存する（Ｓ１３０）。
【００３８】
Ｓ１２２で２枚の画像を生成するモードに設定されている場合、マイクロコンピュータ２０３によって、装着されている撮影レンズ２００の情報を取得する（Ｓ１２３）。Ｓ１２３で取得したレンズ情報は、揮発性メモリ２０４に保持する。Ｓ１２４でランダムに生成されたパラメータが「魚眼風効果」（３０４）であるとする。Ｓ１２３で取得したレンズ情報を解析し、装着されているレンズが魚眼レンズだった場合に、「魚眼風効果」（３０４）を施すと本来提供したい魚眼効果とは異なる結果となってしまう。したがって、魚眼レンズが装着され、「魚眼風効果」（３０４）が選択された場合には、再度パラメータを生成し直す（Ｓ１２５）。Ｓ１２４で再度生成されたパラメータが「雰囲気設定  やや暗く」（３０５）であった場合には、魚眼レンズと組み合わせても問題ないと判断し（Ｓ１２５）、ランダム現像パラメータとして決定する（Ｓ１２６）。
【００３９】
Ｓ１２６でパラメータが決定すると、画像処理部２０６により、ランダム現像パラメータでの現像処理を行い（Ｓ１２７）、ファイルを生成し、外部メディア２０７に保存する（Ｓ１２８）。現在の撮像装置に設定されている現像パラメータで現像処理（Ｓ１２９）、ファイル生成、保存（Ｓ１３０）を行うことで、１度の撮影で２枚の画像を生成する処理が完了する。
【００４０】
本実施例によると、魚眼レンズ装着時においても、ユーザの操作性を落とすことなく、不快感を与えない現像パラメータ生成制御を提供することが可能となる。
【実施例４】
【００４１】
以下、図１Ｄを参照して、本発明の第４の実施例による、ＴＳレンズ装着時のランダム現像パラメータ生成制御に関して説明する。
【００４２】
マイクロコンピュータ２０３により、静止画撮影が行われたかどうかを検知する（Ｓ１３１）。Ｓ１３１で静止画撮影が行われると、ランダムに現像パラメータを生成し、１度の撮影で２枚の画像を生成するモードに設定されているかどうかを判定する（Ｓ１３２）。Ｓ１３２で２枚の画像を生成するモードに設定されておらず、一般的な撮影の場合には、Ｓ１３９で現在設定されている現像パラメータにて画像処理部２０６により画像処理が行われ、マイクロコンピュータ２０３によりファイルを生成し、外部メモリ２０７へ保存する（Ｓ１４０）。
【００４３】
Ｓ１３２で２枚の画像を生成するモードに設定されている場合、マイクロコンピュータ２０３によって、装着されている撮影レンズ２００の情報を取得する（Ｓ１３３）。Ｓ１３３で取得したレンズ情報は、揮発性メモリ２０４に保持する。Ｓ１３４でランダムに生成されたパラメータが「ジオラマ風効果」（３０６）であるとする。Ｓ１３３で取得したレンズ情報を解析し、装着されているレンズがＴＳレンズだった場合に、「ジオラマ風効果」（３０６）を施すと本来提供したいジオラマ風効果とは異なる結果となってしまう。したがって、ＴＳレンズが装着され、「ジオラマ風効果」（３０６）が選択された場合には、再度パラメータを生成し直す（Ｓ１３５）。Ｓ１３４で再度生成されたパラメータが「色合い  濃く」（３０７）であった場合には、ＴＳレンズと組み合わせても問題ないと判断し（Ｓ１３５）、ランダム現像パラメータとして決定する（Ｓ１３６）。
【００４４】
Ｓ１３６でパラメータが決定すると、画像処理部２０６により、ランダム現像パラメータでの現像処理を行い（Ｓ１３７）、ファイルを生成し、外部メディア２０７に保存する（Ｓ１３８）。現在の撮像装置に設定されている現像パラメータで現像処理（Ｓ１３９）、ファイル生成、保存（Ｓ１４０）を行うことで、１度の撮影で２枚の画像を生成する処理が完了する。
【００４５】
本実施例によると、ＴＳレンズ装着時においても、ユーザの操作性を落とすことなく、不快感を与えない現像パラメータ生成制御を提供することが可能となる。
【実施例５】
【００４６】
以下、図１Ｅを参照して、本発明の第５の実施例による、顔検知し、顔があると判断した際のランダム現像パラメータ生成制御に関して説明する。
【００４７】
マイクロコンピュータ２０３により、静止画撮影が行われたかどうかを検知する（Ｓ１４１）。Ｓ１４１で静止画撮影が行われると、ランダムに現像パラメータを生成し、１度の撮影で２枚の画像を生成するモードに設定されているかどうかを判定する（Ｓ１４２）。Ｓ１４２で２枚の画像を生成するモードに設定されておらず、一般的な撮影の場合には、Ｓ１４９で現在設定されている現像パラメータにて画像処理部２０６により画像処理が行われ、マイクロコンピュータ２０３によりファイルを生成し、外部メモリ２０７へ保存する（Ｓ１５０）。
【００４８】
Ｓ１４２で２枚の画像を生成するモードに設定されている場合、マイクロコンピュータ２０３によって、被写体の顔検知を行う（Ｓ１４３）。顔検知した結果は、揮発性メモリ２０４に保持する。Ｓ１４４でランダムに生成されたパラメータが「ジオラマ風効果」（３０６）であるとする。Ｓ１４３で顔検知した結果、顔有りと判定された場合、「ジオラマ風効果」（３０６）を施すと期待した効果が得られない可能性がある。したがって、再度パラメータを生成し直す（Ｓ１４５）。再度Ｓ１４４で生成したパラメータが、「ジオラマ風効果」（３０６）でなければ（Ｓ１４５）、パラメータを決定する（Ｓ１４６）。画像処理部２０６により、ランダム現像パラメータでの現像処理を行い（Ｓ１４７）、ファイルを生成し、外部メディア２０７に保存する（Ｓ１４８）。現在の撮像装置に設定されている現像パラメータで現像処理（Ｓ１４９）、ファイル生成、保存（Ｓ１５０）を行うことで、１度の撮影で２枚の画像を生成する処理が完了する。
【００４９】
本実施例によると、顔検知し、顔があると判断した際においても、ユーザの操作性を落とすことなく、不快感を与えない現像パラメータ生成制御を提供することが可能となる。
【実施例６】
【００５０】
以下、図１Ｆを参照して、本発明の第６の実施例による、被写体検知し、色の数が少ない、もしくは、色が薄いと判断した際のランダム現像パラメータ生成制御に関して説明する。
【００５１】
マイクロコンピュータ２０３により、静止画撮影が行われたかどうかを検知する（Ｓ１５１）。Ｓ１５１で静止画撮影が行われると、ランダムに現像パラメータを生成し、１度の撮影で２枚の画像を生成するモードに設定されているかどうかを判定する（Ｓ１５２）。Ｓ１５２で２枚の画像を生成するモードに設定されておらず、一般的な撮影の場合には、Ｓ１５９で現在設定されている現像パラメータにて画像処理部２０６により画像処理が行われ、マイクロコンピュータ２０３によりファイルを生成し、外部メモリ２０７へ保存する（Ｓ１６０）。
【００５２】
Ｓ１５２で２枚の画像を生成するモードに設定されている場合、マイクロコンピュータ２０３によって、被写体検知を行う（Ｓ１５３）。被写体検知した結果は、揮発性メモリ２０４に保持する。Ｓ１５４でランダムに生成されたパラメータが「モノクロ」（３０８）であるとする。Ｓ１５３で顔検知した結果、色の数が少ない、または、色が薄いと判定された場合、「モノクロ」（３０８）を施すと期待した効果が得られない可能性がある。したがって、再度パラメータを生成し直す（Ｓ１５５）。再度Ｓ１５４で生成したパラメータが、「モノクロ」（３０８）でなければ（Ｓ１５５）、パラメータを決定する（Ｓ１５６）。画像処理部２０６により、ランダム現像パラメータでの現像処理を行い（Ｓ１５７）、ファイルを生成し、外部メディア２０７に保存する（Ｓ１５８）。現在の撮像装置に設定されている現像パラメータで現像処理（Ｓ１５９）、ファイル生成、保存（Ｓ１６０）を行うことで、１度の撮影で２枚の画像を生成する処理が完了する。
【００５３】
本実施例によると、被写体検知し、色の数が少ない、もしくは、色が薄いと判断した際においても、ユーザの操作性を落とすことなく、不快感を与えない現像パラメータ生成制御を提供することが可能となる。
【実施例７】
【００５４】
以下、図１Ｇを参照して、本発明の第７の実施例による、ブレ検知し、ブレがあったと判断した際のランダム現像パラメータ生成制御に関して説明する。
【００５５】
マイクロコンピュータ２０３により、静止画撮影が行われたかどうかを検知する（Ｓ１６１）。Ｓ１６１で静止画撮影が行われると、ランダムに現像パラメータを生成し、１度の撮影で２枚の画像を生成するモードに設定されているかどうかを判定する（Ｓ１６２）。Ｓ１６２で２枚の画像を生成するモードに設定されておらず、一般的な撮影の場合には、Ｓ１６９で現在設定されている現像パラメータにて画像処理部２０６により画像処理が行われ、マイクロコンピュータ２０３によりファイルを生成し、外部メモリ２０７へ保存する（Ｓ１７０）。
【００５６】
Ｓ１６２で２枚の画像を生成するモードに設定されている場合、マイクロコンピュータ２０３によって、ブレ検知を行う（Ｓ１６３）。ブレ検知の方法としては、レンズでのブレ検知、撮像装置本体でのブレ検知、画像解析によるブレ検知等があるが、本実施例ではブレ検知の方法については省略する。ブレ検知した結果は、揮発性メモリ２０４に保持する。Ｓ１６４でランダムに生成されたパラメータが「シャープネス  強め」（３０９）であるとする。Ｓ１６３でブレがあったと判定された場合、「シャープネス  強め」（３０９）を施しても期待した効果が得られない可能性がある。したがって、再度パラメータを生成し直す（Ｓ１６５）。再度Ｓ１６４で生成したパラメータが、「シャープネス  強め」（３０９）でなければ（Ｓ１６５）、パラメータを決定する（Ｓ１６６）。画像処理部２０６により、ランダム現像パラメータでの現像処理を行い（Ｓ１６７）、ファイルを生成し、外部メディア２０７に保存する（Ｓ１６８）。現在の撮像装置に設定されている現像パラメータで現像処理（Ｓ１６９）、ファイル生成、保存（Ｓ１７０）を行うことで、１度の撮影で２枚の画像を生成する処理が完了する。
【００５７】
本実施例によると、被写体検知し、色の数が少ない、もしくは、ブレ検知し、ブレがあったと判断した際においても、ランダム画像用現像パラメータを適切に生成でき、操作性を向上させることが可能となる。
【００５８】
これまでに実施例１〜７の詳細を説明したが、それぞれの実施例の特徴を組み合わる実施形態も想定する。例えば、実施例１と実施例４で説明したような撮影制御を組み合わせてもよい。
【００５９】
以上、本発明の好ましい実施形態について説明したが、本発明はこれらの実施形態に限定されず、その要旨の範囲内で種々の変形及び変更が可能である。
【符号の説明】
【００６０】
２０３：マイクロコンピュータ
Ｓ１０４、Ｓ１１４、Ｓ１２４、Ｓ１３４、Ｓ１４４、Ｓ１５４、Ｓ１６４：ランダムに現像用パラメータを生成する手段
Ｓ１０５、Ｓ１１５、Ｓ１２５、Ｓ１３５、Ｓ１４５、Ｓ１５５、Ｓ１６５：  ランダムに生成された現像パラメータが適切なものかどうか判定する手段
２０６：撮影画像の画像処理
２０７：外部メモリ
Ｓ１０２：現像パラメータ履歴蓄積手段
Ｓ１１３：撮像装置に現在設定されている現像パラメータの取得手段
Ｓ１２３、Ｓ１３３：装着レンズ検出手段
Ｓ１４３：顔検出手段
Ｓ１５３：被写体検知手段
Ｓ１６３：ブレ検出手段
【図１Ａ】
2014143459.tif 000003
【図１Ｂ】
2014143459.tif 000004
【図１Ｃ】
2014143459.tif 000005
【図１Ｄ】
2014143459.tif 000006
【図１Ｅ】
2014143459.tif 000007
【図１Ｆ】
2014143459.tif 000008
【図１Ｇ】
2014143459.tif 000009
【図２】
2014143459.tif 000010
【図３】
2014143459.tif 000011